(57)【要約】【課題】電子機器の表示部を任意の傾斜角度に固定できるようにする。【解決手段】電子機器本体２の裏面を保持するホルダー部材３に回動可能に設けられた基部６に連結された第１の保持部材８または第２の保持部材９を起立させて、ホルダー部材３の裏面の係止溝５と当接することによって任意の傾斜角度に電子機器本体２を固定する。このため、電子機器の表示面を水平状態から垂直状態まで一つのスタンドで傾斜角度を広範囲に設定できる可動型のスタンド装置を提供することにある。【選択図】　　　図２
2004070622.tif 000002
【特許請求の範囲】
【請求項１】
平面上に機器本体を複数の傾斜角度で設置できるスタンド装置において、
少なくとも前記機器本体の裏面を保持するホルダー部材と、
このホルダー部材に回動可能に設けられ前記平面上に載置される基部と、
一端部が前記基部と回動可能に取付けられ前記平面上に載置された状態及び起立した状態に回動し、起立した状態では他端部が前記ホルダー部材の裏面に当接して前記機器本体を第１の起立位置に保持する第１の保持部材と、
一端部が前記第１の保持部材に回動可能に設けられ、前記第１の保持部材が前記平面上に載置された状態にあるときに起立され他端部が前記ホルダー部材の裏面に当接して前記機器本体を第２の起立位置に保持する第２の保持部材と、
を備えたことを特徴とするスタンド装置。
【請求項２】
平面上に機器本体を複数の傾斜角度で設置できるスタンド装置において、
少なくとも前記機器本体の裏面に回動可能に設けられ前記平面上に載置される基部と、
一端部が前記基部と回動可能に取付けられ前記平面上に載置された状態及び起立した状態に回動し、起立した状態では他端部が前記機器本体の裏面に当接して前記機器本体を第１の起立位置に保持する第１の保持部材と、
一端部が前記第１の保持部材に回動可能に設けられ、前記第１の保持部材が前記平面上に載置された状態にあるときに起立され他端部が前記機器本体の裏面に当接して前期機器本体を第２の起立位置に保持する第２の保持部材と、
を備えたことを特徴とするスタンド装置。
【請求項３】
前記ホルダー部材の裏面には前記第１の保持部材または前記第２の保持部材の他端部が係止される複数の係止溝が形成されていることを特徴とする請求項１に記載のスタンド装置。
【請求項４】
前記機器本体の裏面には前記第１の保持部材または前記第２の保持部材の他端部が係止される複数の係止溝が形成されていることを特徴とする請求項２に記載のスタンド装置。
【請求項５】
前記機器本体には、表示部と、この表示部の表示面に設けられた透明入力装置とを備えていることを特徴とする請求項１または２に記載のスタンド装置。
【発明の詳細な説明】
【０００１】
【発明の属する技術分野】
本発明は、例えば表示部を備えたペン入力方式のポータブルコンピュータのような機器自体を起立させる際に用いられるスタンド装置に関する。
【０００２】
【従来の技術】
従来、ペン入力方式やタッチキー入力方式を採用した平面型ディスプレイを持つポータブルコンピュータが知られている。これらのポータブルコンピュータの様な電子機器においてはノートパソコン等のように表示面の傾斜角度を調整する為のヒンジ機構が無い為、電子機器使用時には机面等の平面に直接水平状態に置いて入力操作を行い、通常の表示確認時には電子機器裏面の折畳式スタンドを起立状態に引き出し、見やすい角度に設定していた。
このような電子機器のスタンドとしては、表示面の傾斜角度を一定にセットするものが多く、水平に近い状態から垂直状態まで広範囲な角度に設定できるスタンド装置は従来存在しなかった。
【０００３】
【発明が解決しようとする課題】
しかしながら、このようなペン入力方式のコンピュータは、ペン入力面が表示面を兼ねる為入力し易い水平状態に近い傾斜角度に設定すると表示が見難くなり、表示が見易い起立状態の傾斜角度に設定するとペン入力操作の力の入れ具合により電子機器本体が後ろに倒れてしまい入力し難いという問題点があった。
また、ペン入力時には操作しやすいように水平面に対しある程度の傾斜が必要であるが、その為には機器本体を垂直に近い状態に立てる為のスタンドとは別の傾斜用スタンドが必要となり、一つのスタンドで両方を兼用するのは困難であった。
【０００４】
本発明の目的は、電子機器の表示面を水平状態から垂直状態まで一つのスタンドで傾斜角度を広範囲に設定できる可動型のスタンド装置を提供することにある。
【０００５】
【課題を解決するための手段】
上記目的を達成するため、請求項１に記載されたスタンド装置は、少なくとも前記機器本体の裏面を保持するホルダー部材と、このホルダー部材に回動可能に設けられ前記平面上に載置される基部と、一端部が前記基部と回動可能に取付けられ前記平面上に載置された状態及び起立した状態に回動し、起立した状態では他端部が前記ホルダー部材の裏面に当接して前記機器本体を第１の起立位置に保持する第１の保持部材と、一端部が前記第１の保持部材に回動可能に設けられ、前記第１の保持部材が前記平面上に載置された状態にあるときに起立され他端部が前記ホルダー部材の裏面に当接して前記機器本体を第２の起立位置に保持する第２の保持部材とを備えたことを特徴としている。
【０００６】
請求項２に記載されたスタンド装置は、少なくとも前記機器本体の裏面に回動可能に設けられ前記平面上に載置される基部と、一端部が前記基部と回動可能に取付けられ前記平面上に載置された状態及び起立した状態に回動し、起立した状態では他端部が前記機器本体の裏面に当接して前記機器本体を第１の起立位置に保持する第１の保持部材と、一端部が前記第１の保持部材に回動可能に設けられ、前記第１の保持部材が前記平面上に載置された状態にあるときに起立され他端部が前記機器本体の裏面に当接して前期機器本体を第２の起立位置に保持する第２の保持部材とを備えたことを特徴としている。
【０００７】
請求項３に記載されたスタンド装置は、前記ホルダー部材の裏面には前記第１の保持部材または前記第２の保持部材の他端部が係止される複数の係止溝が形成されていることを特徴としている。
【０００８】
請求項４に記載されたスタンド装置は、前記機器本体の裏面には前記第１の保持部材または前記第２の保持部材の他端部が係止される複数の係止溝が形成されていることを特徴としている。
【０００９】
請求項５に記載されたスタンド装置は、前記機器本体には、表示部と、この表示部の表示面に設けられた透明入力装置とを備えていることを特徴としている。
【００１０】
このような構成によれば、入力し易い水平状態の傾斜角度から表示部の表示面が見易い起立状態の角度まで一つのスタンドで傾斜角度を広範囲に設定できる。
【００１１】
【発明の実施の形態】
以下、本発明に係るスタンド装置の実施の一形態について、図面を参照しながら説明する。
図１はこの発明におけるスタンド装置１の電子機器本体２を装着した正面図、図２は図１の背面側から見た外観斜視図、図３はその側面図である。
スタンド装置１は、図１乃至図３に示すように、電子機器本体２を設置するためのホルダー部材３を備えている。即ち、このホルダー部材３は図２及び図３に示す様に電子機器本体２の下部２ａを収納する収納凹部３ａと、この収納凹部３ａの一側面から上方に立ち上がる様形成され前記電子機器本体２の裏面２ｂを保持する裏面保持部３ｂとから構成されている。
裏面保持部３ｂの前記電子機器本体２の裏面２ｂを保持する側の反対側にはその中央部分に有底凹部４が形成され、有底凹部４の底面には複数の係止溝５が横方向に形成されている。
また、ホルダー部材３の有底凹部４が形成された側の下面にはヒンジ用の突出部３ｃが形成されており、この突出部３ｃには、ホルダー部材３を起立させる為に平面上に載置される平板上の基部６が回動可能に設けられている。即ち、基部６には、前記突出部３ｃと共にヒンジ機構を形成する突出部６ａが設けられており、前期突出部３ｃ及び突出部６ａ内部に配置された軸部材７ａによりホルダー部材３に対して回動可能となっている。
前記基部６の前記ヒンジ機構の反対側には切欠部６ｂが形成されており、この切欠部６ｂには第１の保持部材８の一端部８ａがとりつけられている。即ち、一端部８ａは軸部材７ｂによって基部６にとりつけられており、これにより第１の保持部材８は基部６に対して回動可能とされている。
又、前記第１の保持部材８の他端部には第２の保持部材９が回動可能に取付けられている。即ち、図４乃至図６に示すように、第２の保持部材９の一端部９ａは軸７ｃによって第１の保持部材８に取付けられており、これにより第２の保持部材９は第１の保持部材８に対して回動可能とされている。
【００１２】
尚、前記電子機器本体２は図１に示すように機器ケース２０の前面中央部に表示部２１が配置され、この表示部２１の前面である表示面２１ａには透明入力装置が設置されており機器ケース２０の下部２ａに配置された入力用ペン２３を使用することによりペン入力が可能となる。又、機器ケース２０の右方には入力用キー部２２が配置され、通常のキー釦による入力操作が可能となっている。ちなみに本発明はパーソナルコンピュータやハンディターミナル及びＰＤＡ（パーソナル・ディジタル・アシスタント）等の表示部を備えた電子機器のスタンド装置に適用される。
【００１３】
次に上記構成のスタンド装置１を使用して電子機器本体２を操作する場合について説明する。
図１乃至図３において、スタンド装置１のホルダー部材３を略垂直に起立させ、ヒンジ用突出部３ｃに接続された基部６をヒンジ用突出部６ａを中心に回動させ、水平状態まで開く。次に基部６の切欠部６ｂに軸部材７ｂにより回動可能に連結された第１の保持部材８をホルダー部材３の方向に回動させ、第１の保持部材８の他端部側に設けた切欠部８ｂをホルダー部材３の裏面に形成された有底凹部４の係止溝５に当接させ、ホルダー部材３を固定する。
次にスタンド装置１のホルダー部材３の収納凹部３ａに電子機器本体２の下部２ａを挿入し、電子機器本体２に設けた表示部２１の表示面２１ａを見易い角度になるようホルダー部材３の裏面に設けた係止溝５の位置を選んで設定する。この様に複数の係止溝５の何れかを選択することにより電子機器２の表示２１の表示面２１ａを見易い角度に設定できるようになる。
【００１４】
更に、図４乃至図６においては、電子機器本体２を水平に近い状態に角度を設定する場合を示している。まず図４に示すようにスタンド装置１のホルダー部材３の裏面の係止溝５から第１の保持部材８の係止を外し、軸部材７ｂを中心に第１の保持部材８を水平状態まで回動させる。次に図５に示すように第２の保持部材８の切欠部８ｂに軸部材７ｃにより回動可能に連結された第２の保持部材９をホルダー部材３の方向に回動させる。そして第２の保持部材９の他端部９ｂをホルダー部材３の裏面に形成された係止溝５に当接させることにより図６に示すようにホルダー部材３を水平に近い状態に固定する。これによって、電子機器本体２の表示部２１はペン入力あるいはキー入力し易い角度になるように調整出来る。また、ホルダー部材３の裏面の係止溝５の当接位置を選んで設定することにより、複数の水平に近い状態の何れかの設定が可能である。
以上のように、ホルダー部材３の角度を略水平から略垂直まで自由に変更できる為、スタンド装置１に電子機器本体２をセットすることにより表示確認からペン入力操作まで所望の傾斜角度で電子機器２を操作することが可能となる。
以上説明したように、上記の実施の形態によれば、平面上に機器本体２を複数の傾斜角度で設置できるスタンド装置において、少なくとも前記機器本体２の裏面を保持するホルダー部材３と、このホルダー部材３に回動可能に設けられ前記平面上に載置される基部６と、一端部が前記基部６と回動可能に取付けられ前記平面上に載置された状態及び起立した状態に回動し、起立した状態では他端部が前記ホルダー部材３の裏面に当接して前記機器本体２を第１の起立位置に保持する第１の保持部材８と、一端部が前記第１の保持部材８に回動可能に設けられ、前記第１の保持部材８が前記平面上に載置された状態にあるときに起立され他端部が前記ホルダー部材３の裏面に当接して前記機器本体２を第２の起立位置に保持する第２の保持部材９とを備えた構成の場合には、例えば、ペン入力型コンピュータ等の電子機器本体２の表示画２１ａにペンで入力操作する場合には電子機器本体２の表示面２１ａの傾斜角度をペン入力操作に適すように水平状態に近い角度に固定でき、他方、目視確認操作する場合には表示画２１ａの傾斜角度を目視し易い起立した角度で固定することができる。その結果所望の作業に応じてスタンド角度を広範囲に設定でき、電子機器を使用する場合の操作性を大幅に向上することが出来る。
【００１５】
尚、上記実施形態では、ホルダー部材３に電子機器本体２を固定した場合について述べたが、これに限らず、例えばホルダー部材３を設けずに電子機器本体２の機器ケース２０の裏面に直接基部６のヒンジ機構と係止溝５である係止部を一体的に設けて電子機器本体２を直接回動させるように構成しても良い。
すなわち、この実施の形態のように、平面上に機器本体２を複数の傾斜角度で設置できるスタンド装置において、少なくとも前記機器本体２裏面に回動可能に設けられ前記平面上に載置される基部６、一端部が前記基部６回動可能に取付けられ前記平面上に載置された状態及び起立した状態に回動し、起立した状態では他端部が前記機器本体２裏面に当接して前記機器本体２第１の起立位置に保持する第１の保持部材８、一端部が前記第１の保持部材８回動可能に設けられ、前記第１の保持部材８前記平面上に載置された状態にあるときに起立され他端部が前記機器本体２裏面に当接して前期機器本体２第２の起立位置に保持する第２の保持部材９を備えて構成した場合には、ペン入力型コンピュータ等の電子機器の表示面２１ａで入力操作する場合にはその表示面２１ａの傾斜角度をペン入力操作に適すように水平状態に近い角度に固定でき、他方、目視確認操作する場合にはその表示面２１ａの傾斜角度を目視し易い起立した角度で固定することができる。その結果、所望の作業に応じてスタンド角度を広範囲に設定でき、電子機器を使用する場合の操作性を大幅に向上することが出来るばかりでなく、電子機器本体２の裏面に直接ヒンジ機構を設けることにより水平及び起立した任意の角度で固定できると共に、機器ケース２０の裏面に折り畳んでコンパクトに電子機器を携帯することが出来る。又、ペン入力等の電子機器本体２の代わりに液晶テレビ等の他の平面型ディスプレイを備えた電子機器や暦や写真入れ等の機器にも適用することができる。
【００１６】
【発明の効果】
以上のように本発明によれば、機器自体を垂直に近い角度から水平に近い角度までの角度範囲のうち任意の角度で、当該機器本体を固定することが出来、視認性を向上させたスタンド装置を提供出来る。
【図面の簡単な説明】
【図１】この発明のスタンド装置を電子機器に適用した一実施形態の使用時における正面側から見た外観図。
【図２】図１のスタンド装置を背面側から見た外観斜視図。
【図３】図１の左側面図。
【図４】図１のスタンド装置のホルダー部材を傾斜させる場合の第一保持部材を水平に倒した状態の外観斜視図。
【図５】図１のスタンド装置のホルダー部材を傾斜させる場合の第二保持部材を起立させた状態の外観斜視図。
【図６】図５のスタンド装置の第二保持部材とホルダー部材が係止した状態の側面図。
【符号の説明】
１　　スタンド装置
２　　電子機器本体
３　　ホルダー部材
４　　有底凹部
５　　係止溝
６　　基部
７　　軸部材
８　　第１の保持部材
９　　第２の保持部材
２０　　機器ケース
２１　　表示部
２１ａ　　表示面
２２　　入力用キー部
２３　　入力用ペン
【図１】
2004070622.tif 000003
【図２】
2004070622.tif 000004
【図３】
2004070622.tif 000005
【図４】
2004070622.tif 000006
【図５】
2004070622.tif 000007
【図６】
2004070622.tif 000008